Podtech/llm-jp-corpus-v4-ja_patent huggingface dataset:
(57)【要約】【課題】理想的な茶室用畳を提供する。【解決手段】長さ６尺３寸、幅３尺１寸５分の茶室用畳１００であって、畳縁２と畳縁２との間の目数が６０目である。【選択図】図１
0003224090.tif 000002
【実用新案登録請求の範囲】
【請求項１】
長さ６尺３寸、幅３尺１寸５分であり、畳縁と畳縁との間の目数が６０目である、茶室用畳。
【請求項２】
前記畳縁は二目、１寸又は３ｃｍである、請求項１記載の茶室用畳。
【考案の詳細な説明】
【技術分野】
【０００１】
この考案は、茶室用畳に関するものである。
【背景技術】
【０００２】
従来、茶の湯に用いられる京畳は、非特許文献１に示すように、畳縁と畳縁との間の目数が６４目であることが通常とされている。この京畳は、茶室において点前畳及び貴人畳などに用いられる。
【０００３】
ここで、茶の湯における台子点前においては、図３に示すように、点前畳において貴人畳の畳縁から１８目（畳縁部分を含めると２０目）に対応する位置に台子の先端（手前端）が位置するように置かれる。なお、点前畳において貴人畳の手前端に対応する位置が居前線である。このような位置関係において、台子の手前に大円盆が置かれて点前が行われる。
【０００４】
京畳は、長さ６尺３寸（１９１０ｍｍ）、幅３尺１寸５分（９５５ｍｍ）であることから、上記の縁内６４目（畳縁部分を含めて６８目）では、１目当たり９５５÷（６４＋４）＝約１４．０４ｍｍとなる。そうすると、点前畳において居前線と台子の手前端との間の寸法は、２０×１４．０４ｍｍ＝約２８０．８ｍｍとなる。
【０００５】
ところが、台子の手前に置かれる大円盆は、直径が１尺（３０３ｍｍ）であることから、台子の手前に置いたときに、大円盆が居前線から約２ｃｍ程度はみ出してしまう。そうすると、点前をする人の膝と大円盆とが当たってしまい、点前をする人は台子から離れる方向にずれて点前をするなどにより、点前を集中して行うことが難しいという問題がある。また、大円盆が居前線から大きくはみ出していると、見栄えも悪くなってしまう。
【先行技術文献】
【非特許文献】
【０００６】
【非特許文献１】「茶道と畳」、株式会社嵯峨藤本畳店、[令和１年８月２６日検索]、インターネット＜ＵＲＬ：http://www.tatamiyasu.jp/＞
【考案の概要】
【考案が解決しようとする課題】
【０００７】
そこで、本考案は、上記問題点を解決すべくなされたものであり、理想的な茶室用畳を提供することを主たる課題とするものである。
【課題を解決するための手段】
【０００８】
すなわち本考案に係る茶室用畳は、長さ６尺３寸、幅３尺１寸５分であり、畳縁と畳縁との間の目数が６０目（すなわち、縁内６０目）であることを特徴とする。
【０００９】
本発明では、縁内６０目（畳縁部分を含めて６４目）となり、１目当たり９５５÷（６０＋４）＝約１４．９２ｍｍとなる。そうすると、点前畳において居前線と台子の手前端との間の寸法は、２０×１４．９２ｍｍ＝２９８．４ｍｍとなる。その結果、台子の手前に大円盆を置いた場合でも、大円盆が居前線から高々４．６ｍｍ程度しかはみ出さず、点前をする人の膝が大円盆に当たってしまうことを防ぐことができる。その結果、点前をする人は点前に集中することができるし、居前線から大円盆がほとんどはみ出さずに、見栄えも良くすることができる。このように本発明の茶室用畳では、台子、大円盆及び点前をする人との位置関係を理想的なものにすることができる。
【００１０】
また、前記畳縁は二目、１寸又は３ｃｍであることが望ましい。
この構成であれば、畳縁がちょうど２つの畳目を覆うことになり、縁内６０目を綺麗に出すことができる。
【考案の効果】
【００１１】
このように構成した本考案によれば、理想的な茶室用畳を提供することができる。
【図面の簡単な説明】
【００１２】
【図１】本考案の一実施形態における畳の平面図である。
【図２】同実施形態の縁内６０目の畳における位置関係を示す図である。
【図３】従来の縁内６４目の畳における位置関係を示す図である。
【考案を実施するための形態】
【００１３】
本考案の一実施形態について、図面を参照して説明する。
【００１４】
本実施形態に係る茶室用畳１００は、図１に示すように、長さ６尺３寸（１９１０ｍｍ）、幅３尺１寸５分（９５５ｍｍ）の茶室用畳である。この茶室用畳は、茶室において少なくとも点前畳及び貴人畳に用いられるものである。
【００１５】
そして、茶室用畳１００は、畳縁と畳縁との間の目数が６０目（すなわち、縁内６０目）である。また、畳縁は二目、１寸（約３０ｍｍ）又は３ｃｍであり、２つの畳目を覆うように茶室用畳１００の長辺部分に設けられている。
【００１６】
このように構成された本実施形態の畳１００によれば、縁内６０目（畳縁部分を含めて６４目）であることから、１目当たり９５５÷（６０＋４）＝約１４．９２ｍｍとなる。そうすると、点前畳において居前線と台子の手前端との間の寸法は、２０×１４．９２ｍｍ＝２９８．４ｍｍとなる。その結果、台子の手前に大円盆を置いた場合でも、大円盆が居前線から高々４．６ｍｍ程度しかはみ出さず、点前をする人の膝が大円盆に当たってしまうことを防ぐことができる。その結果、点前をする人は点前に集中することができるし、居前線から大円盆がほとんどはみ出さずに、見栄えも良くすることができる。このように本実施形態の茶室用畳１００では、台子、大円盆及び点前をする人との位置関係を理想的なものにすることができる。
【００１７】
なお、本考案は前記実施形態に限られるものではない。
【００１８】
例えば、前記実施形態では畳縁の幅が１寸（二目、３ｃｍ）であったが、これに限られず、２つの畳目を覆うものであれば良い。
【００１９】
その他、本考案は前記実施形態に限られず、その趣旨を逸脱しない範囲で種々変形が可能である。
【符号の説明】
【００２０】
１００・・・茶室用畳
２・・・畳縁
【図１】
0003224090.tif 000003
【図２】
0003224090.tif 000004
【図３】
0003224090.tif 000005
(57)【要約】      （修正有）【課題】ケーブルラック上に１度ロープを延ばすだけで何度もケーブルを配線できるとともに、ロープとケーブルが絡まるのを防止できる電気工事用ケーブルラック配線道具を提供する。【解決手段】ケーブル６を取り付けるリング部２を有する電気工事用ケーブルラック配線道具において、リング部の反対側のラックサー１にロープ５を結束バンド３を用いて取り付けることで、ロープとケーブルとの間に空間を設け、ケーブルとロープが絡まるのを防ぐ。【選択図】図２
0003224013.tif 000002
【実用新案登録請求の範囲】
【請求項１】
（１）ラックサーの何もない方に（５）ロープを取り付け反対側の（２）リング部に（６）ケーブルを取り付け（７）ケーブルラック上の（６）ケーブルを（５）ロープを引き直す事無く、何度も引っ張る道具
【考案の詳細な説明】
【考案の詳細な説明】
【産業上の利用分野】
【０００１】この考案は、電気工事で（７）ケーブルラック上の（６）ケーブルを（５）ロープを１度引っ張って、ロープの中間にラックサーを取り付けて（７）ケーブルラック上に何度も配線可能な道具であります。
【背景技術】
【０００２】従来では、（７）ケーブルラック上に（６）ケーブルを配線するのに、（５）ロープと（６）ケーブルを一緒に、引っ張ると（５）ロープと（６）ケーブルが絡まるので、（５）ロープを引っ張ってから、（５）ロープの端に（６）ケーブルを取り付けて引っ張って、（６）ケーブルの数だけ何度も［５］ロープ引いていました。
【考案が解決しょうとする課題】
【０００３】  （イ）  （７）ケーブルラック上に、１度（５）ロープを伸ばしてロープの中間に、このラックサーを取り着ければ同じ（７）ケーブルラック上に何度も、配線可能にする
（ロ）  （５）ロープと（６）ケーブルとが、絡まるのを防ぐのに、考案されたものである。
【課題を解決するための方法】
【０００４】（７）ケーブルラック上に乗せた（６）ケーブルと（５）ロープが絡まないように、（５）ロープと（６）ケーブルとの間に、空間を設けたものである。
【作用】
【０００５】（１）ラックサーに（５）ロープを（３）結束バンドで縛り（２）リングに、（６）ケーブルを取り付ける
【実地例】
【０００６】以下、本考案の実地例について説明する。
（７）ケーブルラック上に（５）ロープを引っ張り、ラックサーの（１）の部分に（５）ロープを（３）結束バンドもしくは、バインド線で、しっかり固定する。
次に反対側の（２）リング部分に市販の（４）ヨリ戻しを取り付け、（６）ケーブルをしっかりと固定する。
（５）ロープは、（７）ケーブルラック上から、下の人が居る手の届く所まで伸ばしてから、（６）ケーブルと（５）ロープが絡まない様に、（７）ケーブルラックの右側に（５）ロープを持って行き、左に、（６）ケーブルを持って行く、（５）ロープの引っ張る速度に合わせて引っ張る。無理に（５）ロープだけ、引っ張らない、（５）ロープは、そのまま、引っ張るスペースがあれば、（５）ロープの端と端を繋ぎ合わせれば、（５）ロープを引き戻さなくて良い。ラックサーの両端にリングが有るので、どちら側からでも配線が可能です。
（６）ケーブルを１本引き終わったら、結束バンドで、（６）ケーブルを、両端と真ん中とアップ・ダウン部を縛るとよい。  縛り終わったら（１）ラックサーを引き戻す。そして、次の（６）ケーブルを取り付ける。
【考案の効果】
【０００７】（７）ケーブルラック上に何度も（５）ロープを、引き直すことが無く、時間の短縮が出来る。
（７）ケーブルラックに曲がりがある場合は、（１）ラックサーを次のケーブルラックに取り付けていると、曲がり部で、（４）ヨリ戻しを外して繋ぎ替えれば良い。
【図面の簡単な説明】
【図１】本考案の斜視図
【図２】本考案の使用業況を示す斜視図
【図３】本考案の他の実地例を示す斜視図
【符号の説明】（１）ラックサー
（２）リング部
（３）結束バンド
（４）ヨリ戻し
（５）ロープ
（６）ケーブル
（７）ケーブルラック
【図１】
0003224013.tif 000003
【図２】
0003224013.tif 000004
【図３】
0003224013.tif 000005
【手続補正書】
【提出日】令和1年8月30日(2019.8.30)
【手続補正１】
【補正対象書類名】実用新案登録請求の範囲
【補正対象項目名】全文
【補正方法】変更
【補正の内容】
【実用新案登録請求の範囲】
【請求項１】
ケーブルを取り付けるリング部を有する電気工事用ケーブルラック配線道具において、電気工事用ケーブルラック配線道具のリング部の反対側にロープを取り付けることで、ロープとケーブルとの間に空間を設けケーブルとロープが絡まるのを防ぐ電気工事用ケーブルラック配線道具。
(57)【要約】      （修正有）【課題】背もたれの後ろにテーブルを取り付けた椅子を提供する。【解決手段】ひじ掛けの無い椅子１の背もたれの後ろに折り畳み出来るテーブル４を取り付け、背もたれの後ろにテーブルを取り付けた。【選択図】図１
0003224016.tif 000002
【実用新案登録請求の範囲】
【請求項１】
ひじ掛けの無い椅子の背もたれの背面に、折り畳み出来るテーブルを取り付けた椅子に人が逆向きに座り、椅子の背もたれの背面にテーブルを取り付けた、椅子の背もたれの背面にテーブルを取り付ける。
【考案の詳細な説明】
【技術分野】
【０００１】本考案は、ひじ掛けの無い椅子特にキャンプ等で使う椅子の背もたれの背面に、小さなテーブルを折り畳めるように取り付ける。
従来ひじ掛けの無い椅子特にキャンプ等にて使う椅子では、普通のように前向きに座るより後ろ向きに座り背もたれに手を掛けた方がくたびれないため、その様な座り方をしているのを見かけるが、その椅子の背もたれの背面に折り畳める小さなテーブルを取り付けるようにした椅子の考案。
【背景技術】
【０００２】従来の椅子でひじ掛けのない物特に簡単な椅子では、普通に座ると手の置き場がなく不安定で有るため、逆に座り背もたれに手を掛ける人が居る。
【考案の開示】
【考案が解決しようとする課題】
【０００３】ひじ掛けのない椅子及び簡単な折り畳める椅子では、キャンプ等で皆が集まった時わざわざテーブルを出すほどでもない時には此の椅子であれば簡単な食事が出来る。
【課題を解決するための手段】
【０００４】ひじ掛けの無い椅子特に折り畳める椅子でキャンプ等にて使う場合は、テープルを持ち出さなくてもこの考案の椅子であれば、簡単に食事が出来る。
【考案の効果】
【０００５】本考案は、上記のようなテーブル付きの簡単な椅子であるため、車にテーブルを積み込まなくてもこの椅子で皆と会合できる。
【考案を実施するための最良の形態】
【０００６】ひじ掛けのない椅子やキャンプ等にて使う折り畳みの椅子では、椅子の背もたれの背面に折り畳める小さなテーブルを取り付け、この椅子に後ろ向きに座り畳んだテーブルを持ち上げると、小さなテーブルであるが食事することが出来るし合い対する椅子も逆向きにすれば簡単に会食出来る。
【実施例】
【０００７】図１の椅子１の背もたれ２の背面３に、折り畳める小さなテーブル４を取り付け、椅子１に人が５のように逆向きに座り、テーブル４に食べ物を乗せると大きなテーブルが無くても簡単に食事が出来るし、椅子に逆向きに座ると両手が椅子の背もたれ２に置けるため体が安定するし、又相方もこのようにすると会話が出来るし、普通のように前向きに座ると肘かけが無いと手の置き場が無く、不安定になり疲れる事になる。
【図面の簡単な説明】
【図１】ひじ掛けのない椅子に人が逆向きに座った側面図。１    ひじ掛けのない椅子。
２    椅子の背もたれ。
３    椅子の背もたれの背面。
４    椅子の背もたれに取り付けた折り畳めるテーブル。
５    椅子に逆向きに座った人。
【図１】
0003224016.tif 000003
【手続補正書】
【提出日】令和1年9月2日(2019.9.2)
【手続補正１】
【補正対象書類名】実用新案登録請求の範囲
【補正対象項目名】全文
【補正方法】変更
【補正の内容】
【実用新案登録請求の範囲】
【請求項１】
ひじ掛けの無い椅子の背もたれの後ろに折り畳み出来るテーブルを取り付けた事を特徴とする、背もたれの後ろにテーブルを取り付けた椅子。
(57)【要約】      （修正有）【課題】ゴルフコースにて、遠くからでも真正面からの風か真後ろからの風かの判別を可能にするピンフラッグを提供する。【解決手段】３個からなる胴輪６を直列となるよう留め板５で連結したスイベル部１の最上部に、表面と裏面の彩色が異なるように施した平板２を旗布連結部７に対して垂直となるように取り付ける。平板２を取り付けたスイベル部１を旗竿４の先端部に差し込み、旗布連結部７に旗布３を取り付けると旗布３が風を捉える。それによりスイベル部１が旗竿４の軸周りに自在に回転できる。これにより旗布連結部７に対して垂直に設置した上記の平板２の色違いの平面が常に風上及び風下方向に向くことになり、遠くからでも目視によって風向きが簡単に判別可能となる。【選択図】図１
0003224039.tif 000002
【実用新案登録請求の範囲】
【請求項１】
軸周りに自在に回転できるスイベル部に、表裏に異なる彩色を施した平板を旗布の連結部に対して垂直となるように取り付け、取り付けた平板が旗布と同時に風向きに応じて動くことで簡単に風向きを判別することが可能となることを特徴とする、ゴルフコースで使用するピンフラッグ。
【考案の詳細な説明】
【技術分野】
【０００１】  本考案は、ゴルフで使われるピンフラッグに関するものである。
【背景技術】
【０００２】  従来のゴルフで用いられるピンフラッグは、旗竿に単一色の旗布の他、表裏異なった色の旗布を張り合わせた布や吹き流し状の旗布を取り付けたものがある。
【先行技術文献】
【特許文献】
【０００３】
【特許文献１】実用新案登録第０４２８１３号公報
【特許文献２】特開２００４−３５０７１９号公報
【考案の概要】
【考案が解決しようとする課題】
【０００４】  上記の従来技術では、風で旗布が揺れて真正面と真後ろからの風向きを判別し難かった。【０００５】  そこで本考案は、遠くからでも風向きを判別しやすくするピンフラッグを提供するものである。
【課題を解決するための手段】
【０００６】  この考案は、軸周りに自在に回転できる旗竿先端部のスイベル部に、表面と裏面の彩色が異なるように施した平板を旗布に対して垂直に取り付けたピンフラッグである。前述のスイベル部は３個からなる胴輪を連結させている。これを旗竿先端部に差仕込むことで、旗布取り付け部が軸周りに自在に回転できる。【０００７】  この平板付きのスイベル部に旗布を取り付けると風を捉える。これにより旗布に対して垂直に設置した上記の平板の彩色面が常に風上及び風下方向に向くことになる。予め上記平板の彩色する色を決めておけば、遠くからでも目視によって風向きを簡単に判別することができる。
【考案の効果】
【０００８】  本考案は、旗竿の軸周りに自在に回転できるスイベルに、表裏を色違いにした平板を旗布に対して垂直に取り付けたピンフラッグである。これにより風向きによって平板が示す色が異なり、真正面からの風か真後ろからの風かを遠くからでも簡単に判別することができる。【０００９】  また、上記平板を取り付けたスイベル部には従来の旗布を取り付けることができる。好みの柄の旗布を取り付けてゴルフコースの演出をすることも可能である。
【図面の簡単な説明】
【００１０】
【図１】本考案の実施形態を説明した図である。
【図２】胴輪を直列に連結し平板を取り付けた状態を旗布連結部側から見た図である。
【図３】胴輪に直列に連結し平板を取り付けた状態を旗布連結部側の反対側から見た図である。
【図４】胴輪に平板を取り付けた状態を真上から見た図である。
【考案を実施するための形態】
【００１１】  ３個の胴輪を縦方向となる直列につなげ、最上部の胴輪は旗竿が突き抜けないように穴の片方を塞いでキャップ状としたものをスイベル部とする。スイベル部の上部に、表裏色違いの平板を取り付ける。この平板の平面が、スイベル部の旗布連結部に対して垂直となる向きに設置する。さらにそのスイベル部の旗布連結部に旗布を取り付ける。この平板と旗布を取り付けたスイベル部を旗竿の先端から差し込めば、平板と旗布が旗竿の軸周りに自在に動く。これにより風が吹けば、風上方向及び風下方向に平板が色違いに彩色された平面を向ける。
【実施例】
【００１２】  以下、添付図面に従って一実施例を説明する。合成樹脂等適宜素材であって、図２及び図３のように旗竿４の直径に合わせて鞘の様に差し込める３個の胴輪６を一連につなぐ。３個の胴輪６のつなぎ方は、１本〜複数本の細板状の留め板５に胴輪６を任意の間隔で直列するように接着する。さらに、旗竿に差し込んだ際に最上部となる胴輪６の穴の上部側を塞いでキャップ状としたものがスイベル部１である。【００１３】  上記スイベル部１の先端に表裏異なる彩色をした平板２を図２〜４のように取り付ける。図４に示すように、平板２の平面がスイベル部１の旗布連結部７に対して垂直となる向きに取り付ける。平板２はスイベル部の旗竿における軸周りの回転運動に支障がなければ合成樹脂等適宜素材であれば良く、好みの板厚や重量にしても良い。一枚の平板状素材に裏表異なる色の彩色を施しても良いし、それぞれ異なる色をした二枚の平板状素材を張り合わせたものでも良い。また、表と裏の区別がつけば、円形や四角形等、特に形を問わない。【００１４】  図１に示すように、上記平板２が付属したスイベル部１に旗布３を取り付け、平板２と旗布３を取り付けたスイベル部１を旗竿４に差し込む。なお、旗竿４は一般に市販されているものでも良い。スイベル部１により、風の向きに合わせて旗布が旗竿に絡むことなく向きを変えられる。それによりスイベル部１に取り付けた平板２の向きも変わり、平板２の表裏の色が明確に識別できると同時に風向きも見極められる。
【符号の説明】
【００１５】  １．スイベル部
２．平板
３．旗布
４．旗竿
５．留め板
６．胴輪
７．旗布連結部
【図１】
0003224039.tif 000003
【図２】
0003224039.tif 000004
【図３】
0003224039.tif 000005
【図４】
0003224039.tif 000006
(57)【要約】      （修正有）【課題】くさび式手動ジャッキを提供する。【解決手段】ネジ式の引張構成材がくさび１組のスライド方向の中央に貫通しているくさび式ジャッキでその引張構成材とくさび本体ａ、ｄの係合方法が、一方のくさびには、メネジが形成されている長いメネジの棒状金物が、くさびに横貫通する先端ボルトｆ付き回転軸ｅで両側から固定されている。また他方のくさびには、くさびに貫通するボルト用座付き回転軸ｃと、ボルト貫通したその背面には、ボルトの抜け止めリング状金物が篏合している。【選択図】図１
0003224033.tif 000002
【実用新案登録請求の範囲】
【請求項１】
ネジ式の引張構成材がくさび１組のスライド方向の中央に貫通しているくさび式ジャッキでその引張構成材とくさび本体の係合方法が、一方のくさびには、メネジが形成されている長いメネジの棒状金物が、くさびに横貫通する先端ボルト付き回転軸で両側から固定されている。また他方のくさびには、くさびに貫通するボルト用座付き回転軸と、ボルト貫通したその背面には、ボルトの抜け止めリング状金物が篏合していることを特徴とするくさび式手動ジャッキ
【考案の詳細な説明】
【技術分野】
【０００１】  本考案は、くさび式ジャッキの工具に関するものである。
【背景技術】
【０００２】  従来から、部材間隔を広くさせる場合、軽量の場合１組のくさびで、打撃により調整するか、あるいは、重量の場合は、手動ジャッキや油圧式ジャッキを用いるが、ジャッキスペースと大きな作業スペースが必要があった。又、特に手動ジャッキに関しては、広げることと、狭めることが安全であることが特徴である。
【考案の概要】
【０００３】  図１はくさび式手動ジャッキに最低限必要な構成部材の図であるが、１組のくさびに於いて、引張構成材の伸縮にて、一方はボルト頭部が抜けないように回転軸をボルトが貫通した背面に抜け止め留め具を設け、さらに他方は長いメネジ部材とそれを固定するためのくさび貫通回転軸で両サイドから締結させている構造を提案する。
【考案の効果】
【０００４】  狭い場所で利用する図３のくさび式ジャッキは、ナットを含むボルト類を締め付ける場合にだけ、その広げ量はコントロールできるが、狭める場合は、ナットを緩めても時には接する面の摩擦の大きさによってはくさび本体が戻らない場合がある。本件は、ボルトを緩める場合でも、ガタが生じない構造を追加してくさびの位置をコントロールし作業の安全性を高めることが可能となる。又内部に長いメネジ部材を採用することで、余剰ボルトが出ることなく内部で収納でき、さらにメネジ外形はくさびの強固なガイドとしての機能を兼ねることが出来る。
【図面の簡単な説明】
【０００５】
【図１】はくさび式手動ジャッキの引張構成材の断面図である。ａとｄは、くさび本体、ｂ通称長ナット、ｃは長ナットを固定するための先端ボルト付き回転軸、ｅはボルト座付き回転軸、ｆはボルト、ｇはボルト用抜け止め金物、ｈとｉは対象物、ｊは任意の潤滑プレート設置例を示す。
【図２】は、本考案のくさび式手動ジャッキに最低限必要な構成部材の分解図。ｃ２はｃの締結部、ｂ２とｂ３はｂのヌスミ、ｆ２は、ボルト頭の回転座面、ｇ１はリング金物ｇのかかり溝、ｇ２はｇのリング金物の座を示す。
【図３】は簡単なくさび式手動ジャッキ必要最低限の構成部材分解図
【図１】
0003224033.tif 000003
【図２】
0003224033.tif 000004
【図３】
0003224033.tif 000005
(57)【要約】      （修正有）【課題】自転車叉はオートバイの後輪がパンクした時、タイヤの片側を車輪から外すだけでチューブ交換が出来る棒状チューブを提供する。【解決手段】途中切断した自転車叉はバイク用チューブを袋状に閉鎖したチューブであつて、長手方向に渡つて全周に凸状の線、叉は白線２を有する棒状チューブ１であって、施工時に外れない様に空気注入口に引つ掛けるヒレを、空気注入口孔の付いた一端の反対側に付けた。【選択図】図１
0003224010.tif 000002
【実用新案登録請求の範囲】
【請求項１】
自転車及びバイクのチューブを途中切断したチューブと、前記チューブの両端部を袋状に閉鎖したチューブが、施工時にネジレない様に長手方向に全周に渡つて凸状の線、叉は白線を付けた棒状チューブ。
【請求項２】
前記チューブが施工時に外れない様に空気注入口に引っ掛けるヒレ状の物を、他端に付けた棒状チュウブ。
【請求項３】
前記チューブの一端に図２の様な板状のヒレを付け、反対側の閉鎖したチューブの一端に引っ掛ける穴が明いたヒレを付けた棒状チュウブ。
【請求項４】
前記チューブがパンクした時、空気注入口の付いていない方のチューブがスムーズに他端の下側に入り込む様にした長いヒレを付けた棒状チューブ。
【考案の詳細な説明】
【技術分野】
【０００１】  本考案はチューブを途中切断した形のものにし、その両端部を袋状に閉鎖したタイヤチューブの端部接続方法、及び取り付けしやすさ、及びパンク後のチュウーブの破損防止策を考慮したタイヤチューブに関するものである。
【背景技術】
【０００２】  従来棒状にしたチューブの両端をマジツクテープにて固定していたり単に両端を付き合わせて取り付けていた。
【先行技術文献】
【特許文献】
【０００３】
【特許文献１】実開平２―１５５０４
【特許文献２】特開２０１７−４７７０３
【特許文献３】公開実用  昭和６１―１３３４０５
【特許文献４】公開実用  昭和４９―１９３７０４
【考案の概要】
【考案が解決手段しようとする課題】
【０００４】  次のような問題点があつた。
自動車、オートバイの後輪のチューブを交換する場合、チエーン、ブレイキ装置等全て外さなければならず、大変時間と工賃を要しており棒状にしたチューブをホイールにはめ込む時、チュウーブがネジレてホイールにはめ込みにくく、チュウーブの両端が確実に接続、固定されなかつた。叉パンクした場合、パンクした自転車、オートバイを手で押して修理店に持つて行く時、タイヤとチューブの摩擦のため、チューブの一端がもう一方のチユーブ端に複雑に重なって入り込み、チューブを痛めていた。
本考案はこれらの問題点を解決するためになされたものである。
【課題を解決するための手段】
【０００５】  まずホイールにチューブを取り付けしやすくするために、チューブの長手方向に白線を入れ、チューブが捻れてホイールに入るのを防ぐ。
空気注入口に近い固定端の反対側を図１の様に空気注口に引つ掛けお互いに離れないようにする。叉は空気注入口の付いた一端の反対側に長いヒレをつけ、パンクした自転車叉はオートバイを押した時、チューブの一端がもう一方のチユーブの下側に複雑に重なり合わず滑り込む様にした。
【考案の効果】
【０００６】  チューブをホイールにはめ込む時、ネジレず一定方向ではめ込みが出来るようにしなり、空気注口にチューブの一方を引つ掛けるので固定が確実になつた。叉パンクした時チューブの一端が複雑に重なり合つてもう一端のチューブに入り込まなくなつた。
【図面の簡単な説明】
【０００７】
【図１】  チューブの全周に付けた白線及び凸状の線を示す正面図である。
【図２】  空気注入口に引っ掛ける為に、つけたゴムヒレを示す正面図である。
【図３】  チューブの一端に付けた凸状のコブと反対側に付けた、凹状のコブを示す断面図である。
【図４】  空気注入口の金具がついていない方の一端がパンクし、押して動かした時タイヤとチューブの摩擦の為、金具の付いている方に複雑に重なって曲がつて入り込む図の正面図である。
【考案を実施するための形態】
【０００８】  チューブ１の側面に長手方向に白線２を全周に渡つて入れ、ホイール及びタイヤチューブを組み込む時白線を一方向にする事によりチューブのネジレを防止出来る。
チューブに付ける白線の色は何色でもよく、チューブに塗装叉は別の材料を設着してもよい。
【０００９】  チューブ１の空気注入口側に引っ掛ける丸穴４の明いたヒレ３をチューブの他端４に付け、相互の固定を確実にする。
ヒレ３はチューブと同一の材料か、チューブと設着が良い材料で伸び縮み出来る材料が好ましい。
【００１０】  パンクした時、伸びたチューブが空気注入口の付いた側の下側に入り込み複雑に重なり合わぬ様になる。（図４参照）
ヒレの長さは少なくとも１５ｃｍ程欲しく、棒状チュウブの一端を固定するゴム栓６より奥のほうに溶着するのが好ましい。
【実施例】
【００１１】  本考案を使用する時は、自転車叉はオートバイの後輪をスタンド等にて浮かせ、ホイールからまずタイヤをレバアー等にて全周に渡つて外し、古いチューブをホイールから引き出しハサミ等で切断し外す。次に新しい棒状チュウブを外したのと反対にまずチューブの空気注入口付いた方をホイールの穴に内側より差し込み、チューブの白線を見ながらネジレない様にホイールとタイヤの間にはめ込み、最後にヒレの付いた端のチューブを空気注入口に差し込み、はずれていた法のタイヤをホイールにはめ込み空気を入れて完成させる方法と、棒状チュウブの一端に凸の付いたコブを付け、もう一方の端にそこに引つかける穴の明いているヒレ付け、空気を入れた時自然とチューブが回転してネジレない施工に関する考案である。
【符号の説明】
【００１２】１  棒状チュウブ
２  白線
３  ゴムヒレ
４  空気注入口に引っ掛ける丸穴
５  空気注入口
６  ゴム栓
【図１】
0003224010.tif 000003
【図２】
0003224010.tif 000004
【図３】
0003224010.tif 000005
【図４】
0003224010.tif 000006
【手続補正書】
【提出日】令和1年8月29日(2019.8.29)
【手続補正１】
【補正対象書類名】実用新案登録請求の範囲
【補正対象項目名】全文
【補正方法】変更
【補正の内容】
【実用新案登録請求の範囲】
【請求項１】
途中切断した自転車叉はバイク用チューブを袋状に閉鎖したチューブであつて、長手方向に渡つて全周に凸状の線、叉は白線を有する棒状チュウブ。
【請求項２】
請求項１のチューブであつて、施工時に外れない様に空気注入口に引つ掛けるヒレを、空気注入口孔の付いた一端の反対側に付けた棒状チュウブ。
【請求項３】
請求項１のチューブであつて、チューブの一端に付けた凸状のコブと反対側に付けた、凹状のコブを有する棒状チュウブ。
(57)【要約】      （修正有）【課題】上部のみに夫々のひだに小さい谷を設けたカーテンを提供する。【解決手段】アコーディオン状の折り畳みひだを有するカーテンＫにおいて、上部のみに夫々のひだの山部分を三角に折り込み、小さい谷Ｅ１、Ｅ２、Ｅ３、、、Ｅｎを設けた。【選択図】図３
0003224009.tif 000002
【実用新案登録請求の範囲】
【請求項１】
アコーディオン状の折り畳みひだを有するカーテンにおいて、上部のみに夫々のひだの山部分を三角に折り込み、小さい谷を設けたカーテン。
【考案の詳細な説明】
【技術分野】
【０００１】この考案はカーテンに関するものです。
【技術背景】
【０００２】  カーテンは一般に上部を二重又は三重のひだ状に折り込んで固定化した部分に裏側からカーテンフックを差込むことによって取付けられたカーテンフックをカーテンレールのランナーに引っ掛けて、ランナーがカーテンレール内を移動することによってカーテンが開け閉めされる構成になっております。
厚い布地のカーテンにおいて、カーテンの上部を細かくひだ状に固定化することが出来ない場合は、カーテンの裏側に網状のテープを縫いつけ一体的にカーテンを折り畳んでひだの形状を付与した後にカーテン上部に縫い付けた網状テープの網目にカーテンフックを差込んで取付け、これをカーテンレールのランナーに引っ掛けることによりカーテンとしての機能を得ることができます。
【考案の概要】
【考案が解決しようとする課題】
【０００３】  カーテンの一般的な室内装飾機能、遮へい機能のほかに複数枚の素材を合布するなどにより防音機能、消臭機能、遮熱保温機能、電磁波制限機能等の多機能を付与したカーテンにおいては、厚みや硬さが増して一般のカーテンのようには取り扱うことが出来ず、主としてアコーディオン状のひだ折りの形状にて用いることになり、折りひだの高さが相対的に高くなります。その結果、カーテンを開けたとき寄せられたカーテンの上部が嵩張ることになります。
またレース等薄地のカーテンと二重カーテンとして用いる場合、夫々のカーテン上部のひだ同士が接触し競合してしまうことになります。
【課題を解決するための手段】
【０００４】  本考案は、この欠点を改善しようというもので、これを図において説明しますと、図１において、多機能を有するカーテン（Ｋ）は、あらかじめ裏側に図示しない網状のテープを縫い付けた後、カーテン全巾を均等に折り畳みアコーディオン状の形態としたもので、そのひだ状のカーテン（Ｋ）には、夫々ひだの山（Ａ１、Ａ２、Ａ３、、、Ａｎ）と谷（Ｂ１、Ｂ２  Ｂ３、、、Ｂｎ）があります。（図１）
なお図においてカーテン（Ｋ）の谷部分を示す（Ｂ１、Ｂｎ）はカーテンの両端を示すものです。
図２において、ひだ状に折り畳まれたカーテン（Ｋ）の夫々のひだの山（Ａ１、Ａ２、Ａ３、、、Ａｎ）の上部からカーテンの裾に向かって３０ｃｍのところ（Ｔ１、Ｔ２、Ｔ３、、、Ｔｎ）と、夫々のひだの上部の山と谷の中間（Ｓ１、Ｓ２、Ｓ３、、、Ｓｎ）を結ぶ点線（図２）に沿って三角に折り込み、小さい谷（Ｅ１、Ｅ２、Ｅ３、、、Ｅｎ）を作ります。（図３）
【考案の効果】
【０００５】  この様にして作成されたアコーディオン状のカーテン（Ｋ）を樹脂加工などを併用して加熱し、形態を固着し安定化して、上部に三角折りひだを持った、カーテンを開けたとき寄せられたカーテンの上部の山（Ｓ１、Ｓ２、Ｓ３、、、Ｓｎ）と谷（Ｂ１、Ｂ２、Ｂ３、、、Ｂｎ）の巾が嵩張ることがなく室内装飾性にも優れたカーテン（Ｋ）を得ることが出来ます。
レース等の薄地のカーテンと二重カーテンとして使用した場合の上部のひだの接触による競合も避けることが出来ます。
（図４）
【図面の簡単な説明】
【０００６】
【図１】  本考案の概要を示す概略図である。
【図２】  本考案の要部を示す概略図である。
【図３】  本考案の実施例の概要を示す概略図である。
【図４】  本考案の実施例の概要を示す概略図である。
【図１】
0003224009.tif 000003
【図２】
0003224009.tif 000004
【図３】
0003224009.tif 000005
【図４】
0003224009.tif 000006
(57)【要約】      （修正有）【課題】電気代がほとんど変わらなくなり、特に夏の熱中症対策に有効な五重カーテンレールを提供する。【解決手段】横長の平板の１方の端には、タテの平板があって、他の端にはＬ字の金具を備え、横長の平板と、タテの平板はＬ字構造を形成し、横長の下側は５本のカーテンレールを備える部品にして、型枠製造し、タテの平板には穴を備え、Ｌ字の横長の平板の下側に５本のカーテンレールを取付ける為の部品を取付けると共に、横長の平板にはカーテンレールが付いていて、平板には穴が開いている横幅レールダブル２本仕様の２．５倍の５本のカーテンレールで、壁止め式の上部のカーテンレールを、上から支える部品を５本のカーテンレールが、ゆとりを持って開閉出きる位長く保つ様、製造し、全ての壁止め金具をロングステンレス製ビスで安全確保の為、外壁側の中の下地材まで、ビス止めを効かす構成の形状を有する。【選択図】図１
0003224001.tif 000002
【実用新案登録請求の範囲】
【請求項１】
天井にネジ止め式の現行の仕様に似た五重カーテンレール仕様も有る。
レールが五重の事。尚カーテンの収まりを良くする為カーテンレールの間隔を広げる事。
【請求項２】
上記記載の全ての内容分の説明書をだいたいわかりやすくして付属説明書をラベル表に付属簡潔印刷書付で販売する事。
使用者にとってわかりやすくする為。箱に説明書を書いたり付属しても良い。
【考案の詳細な説明】
【商品名】
【明細書】
従来現状の２重カーテンレール１枚目レースカーテン２枚目カーテンの２重の２．５倍の５重カーテンレール仕様を造り約２０年後には夏気温が４４度になる地球温暖化にそなえる為発案した。近未来には新築構造もリビング，寝室，子供部屋などを特に南側を縁側付け構造にし窓サッシ側たれ壁部及び縁側と部屋のたれ壁部に双方五重カーテンレール又は縁側全てに天井付けなどの１６〜２５重程のカーテンレールを基本仕様にしないと地球温暖化が進むので暑さなどに耐えられない時代が続く。窓横の壁側にプラスチックケースなどを置きカーテンを集めて上側に置くと収まりが良いと思う。
【図１】
0003224001.tif 000003
【手続補正書】
【提出日】平成31年4月24日(2019.4.24)
【手続補正１】
【補正対象書類名】実用新案登録請求の範囲
【補正対象項目名】全文
【補正方法】変更
【補正の内容】
【実用新案登録請求の範囲】
【請求項１】
横長の平板プラスタテの平板から５本目のカーテンレールを下側になる部分をフッキングして止まる様Ｌ字にして型枠製造しタテの平板からＴ字の横長の平板の下側に５本のカーテンレールを取付ける為の部品を取付けると共に横長の平板の穴にロングビスで壁面にしめ止めし現在市販されている壁止め式の上部のカーテンレールを上から支える部品を５本のカーテンレールがゆとりを持って開閉出来る位長く保つ様製造した部品であり取付け間かくを多めにした形状と構造は多仕様であるが全ての壁止め金具をロングステンレス製ビスで安全確保の為外壁側の中の下地材までビス止めを効かす構成の形状を有する五重カーテンレール。
【手続補正２】
【補正対象書類名】明細書
【補正対象項目名】全文
【補正方法】変更
【補正の内容】
【考案の詳細な説明】
【考案の詳細な説明】
五重カーテンレールを取付けるとだんだん地球温暖化となる為夏冬の冷暖房効率アップになり室内にＬＥＤ電球を付けても総合電気代が安くなり特に夏に熱中症対策に良好で冬は暖かい五重カーテンレール
【明細書】
従来現状の２重カーテンレール１枚目レースカーテン２枚目カーテンの２重の２．５倍の５重カーテンレール仕様を造り約２０年後には夏気温が４４度になる地球温暖化にそなえる為発案した。近未来には新築構造もリビング，寝室，子供部屋などを特に南側を縁側付け構造にし窓サッシ側たれ壁部及び縁側と部屋のたれ壁部に双方五重カーテンレール又は縁側全てに天井付けなどの１６〜２５重程のカーテンレールを基本仕様にしないと地球温暖化が進むので暑さなどに耐えられない時代が続く。窓横の壁側にプラスチックケースなどを置きカーテンを集めて上側に置くと収まりが良いと思う。
【図面の簡単な説明】
【図１】は五重カーテンレールの５本のレールを上部から支える一例の図であります。
【符号の説明】「１ａ」１は［書類名］図面１に記載済で有ります。
「１ａ」２は［書類名］図面１に記載済で有ります。
「１ａ」３は［書類名］図面１に記載済で有ります。
【手続補正書】
【提出日】令和1年9月3日(2019.9.3)
【手続補正１】
【補正対象書類名】実用新案登録請求の範囲
【補正対象項目名】全文
【補正方法】変更
【補正の内容】
【実用新案登録請求の範囲】
【請求項１】
横長の平板の１方の端には，タテの平板があって，他の端にはＬ字の金具を備え，横長の平板と，タテの平板はＬ字構造を形成し，横長の下側は５本のカーテンレールを備える部品にして，型枠製造し，タテの平板には穴を備え，Ｌ字の横長の平板の下側に５本のカーテンレールを取付ける為の部品を取付けると共に，横長の平板にはカーテンレールが付いていて，平板には穴が開いている横幅レールダブル２本仕様の２．５倍の５本のカーテンレールで，現在市販されている壁止め式の上部のカーテンレールを，上から支える部品を５本のカーテンレールが，ゆとりを持って開閉出きる位長く保つ様，製造した部品であり，取付け間かくを多めにした形状と構造は多仕様であるが，全ての壁止め金具をロングステンレス製ビスで安全確保の為，外壁側の中の下地材まで，ビス止めを効かす構成の形状を有する，五重カーテンレール。
(57)【要約】      （修正有）【課題】足元とスネ・フトモモ・背中などを冷やさないように湯水の熱を利用して即暖し、軽量化をはかりコンパクトに設置・収納できる浴室用即暖座椅子床を提供する。【解決手段】空洞化された背もたれと座椅子２と床１とを一体化させた構成のビニール又は樹脂或いは金属からなる浴室用即暖座椅子床であって、湯タンポの原理を利用しシャワー又は湯船用手桶によって座椅子の背もたれ部の注湯口３より湯水を注入し、湯水が座椅子・床の空間に、くまなく満たされるようにする。【選択図】図１
0003224002.tif 000002
【実用新案登録請求の範囲】
【請求項１】
ビニール又は樹脂、或いは金属からなる浴室用即暖座椅子・床において、湯タンポの原理を利用し、シャワー又は湯船用手桶によって、座椅子の背もたれ部の注湯口より湯水を注入できるようにし、足元とスネ・フトモモ・背中などを冷やさないように、湯水の熱を利用して即暖し、軽量化をはかる事により、コンパクトに設置・収納できる浴室用即暖座椅子・床。
【考案の詳細な説明】
【技術分野】
【０００１】  本考案は、ビニール又は樹脂、或いは金属からなる浴室用即暖座椅子・床に関する。
【背景技術】
【０００２】  浴室用の保温シートは、一般に流通している。
【考案の概要】
【考案が解決しようとする課題】
【０００３】  しかしながら、従来の浴室用の保温シートでは、外部からの保温システムが無い為、入浴者が満足できる温度までシートの温度を上げる事ができなかった。
【課題を解決するための手段】
【０００４】  本考案は、ビニール又は樹脂、或いは金属からなる浴室用即暖座椅子・床の中に、シャワー又は湯船用手桶によって、座椅子の背もたれ部の注湯口より湯水を注入できるようにし、足元とスネ・フトモモ・背中などを冷やさないように、湯水の熱を利用して即暖し、これにより上記課題を解決するものである。
【考案の効果】
【０００５】  本考案に関わる浴室用即暖座椅子・床は、湯タンポの原理を応用した造形物として簡単な構成の日常で普通に使われているビニール又は樹脂、或いは金属を採用する事で、容易に製造する事が可能になり、軽量化をはかる事により、コンパクトに設置・収納を実現でき、実用に優れたものである。
【図面の簡単な説明】
【０００６】
【図１】本考案に関わる浴室用即暖座椅子・床の概観図である。
【考案を実施するための形態】
【０００７】  図１に示すように、床と座椅子を一体にし、座椅子の背もたれから床の全体に、注水した湯水が、くまなく満たされるように空間を作る。
【０００８】  図１に示すように、座椅子の背もたれの上部より湯水を注入できる口を設け、床部の下部に不要になった湯水を廃棄できる口を設ける。
【０００９】  上記工程により完成した本考案の浴室用即暖座椅子・床は、寒冷の時期で浴室をすぐに暖まらない場合などに、湯タンポの原理を利用し、洗い場での即暖化を実現でき、保温効果により、快適な入浴を楽しむ事ができる。
【符号の説明】
【００１０】１  即暖床
２  即暖座椅子
３  注湯口
４  排湯口
【図１】
0003224002.tif 000003
【手続補正書】
【提出日】令和1年5月22日(2019.5.22)
【手続補正１】
【補正対象書類名】実用新案登録請求の範囲
【補正対象項目名】全文
【補正方法】変更
【補正の内容】
【実用新案登録請求の範囲】
【請求項１】
空洞化された背もたれ・座椅子・床を一体化させた構成のビニール又は樹脂或いは金属からなる浴室用即暖座椅子床において湯タンポの原理を利用しシャワー又は湯船用手桶によって座椅子の背もたれ部の注湯口より湯水を注入できるようにし足元とスネ・フトモモ・背中などを冷やさないように湯水の熱を利用して即暖し軽量化をはかりコンパクトに設置・収納できる浴室用即暖座椅子床。
【手続補正書】
【提出日】令和1年8月31日(2019.8.31)
【手続補正１】
【補正対象書類名】実用新案登録請求の範囲
【補正対象項目名】全文
【補正方法】変更
【補正の内容】
【実用新案登録請求の範囲】
【請求項１】
空洞化された背もたれと座椅子と床とを一体化させた構成のビニール又は樹脂或いは金属からなる浴室用即暖座椅子床において湯タンポの原理を利用しシャワー又は湯船用手桶によって座椅子の背もたれ部の注湯口より湯水を注入できるようにし足元とスネ・フトモモ・背中などを冷やさないように湯水の熱を利用して即暖し軽量化をはかりコンパクトに設置・収納できる浴室用即暖座椅子床。
(57)【要約】      （修正有）【課題】日本文化の趣きがある漢字名とアルファベット文字の名前の両方を同一印面に配置した外国人にも認知できる、グローバルな印鑑を提供する。【解決手段】同一印面の中央に漢字表記の名前を、周囲にアルファベット文字表記の名前を配置する。アルファベット文字表記により昨今のキラキラネームの読み方にも対応できる。また印面の表記が複雑になることで偽造防止に効果もある。【選択図】図１
0003224004.tif 000002
【実用新案登録請求の範囲】
【請求項１】
同一印面の中央に漢字表記の名前を、周囲にアルファベット文字表記の名前をリング状の枠で仕切ったレイアウトの海外でも通用するグローバル対応の印鑑
【請求項２】
同一印面に漢字表記の名前とアルファベット文字表記の名前を併用することでそれぞれの書体など印面の要素が複雑な偽造防止に効果のある印鑑
【考案の詳細な説明】
【技術分野】
【０００１】本発明は漢字とアルファベット文字で構成した印鑑に関する。
【背景技術】
【０００２】日本文化が世界で注目  高評価される中で印鑑もその一つである。一部の外国人はアルファベット文字で印鑑を作ったりわざわざ漢字名で印鑑を持つ風潮がある。
【考案の概要】
【考案が解決しようとする課題】
【０００３】アルファベット文字で作った印鑑は趣きにかける難点がある。【０００４】一部の外国人は漢字名で印鑑を作っても自己満足だけで漢字自体理解しているわけではない。本来使い慣れたアルファベット文字の自分の名前で押印したい。
【課題を解決するための手段】
【０００５】本発明は日本文化の趣きがある漢字名と自分の名前のアルファベット文字の両方を同一印面に配置することで外国人にも認知できる、グローバルな印鑑として使用できることで解決の手段とする。
【考案の効果】
【０００６】外国人が、押印するにあたって「ＹＥＳ」と言う意味で、使い慣れたアルファベット文字で自分の名前をそこにしるす、印鑑の本来の意味を果たすことができた。また日本人が海外で使用する際にもアルファベット文字表記の名前があることで認知されやすくなった。【０００７】外国人でも漢字名印鑑は日本文化の素晴らしさの一端でありサインと同じ意味があることを理解してもらえた。【０００８】最近、日本人の名前はキラキラネームを多用する傾向にあり、その読み方は想像を超える面があるがアルファベット名を併用することにより誤認トラブルを軽減できた。【０００９】同一印面に漢字表記の名前とアルファベット文字表記の名前を併用する印鑑であることで書体など印面の要素が複雑になったため偽造防止に効果があった。
【図面の簡単な説明】
【００１０】
【図１】漢字、アルファベット印鑑  姿図
【図２】漢字、アルファベット印鑑  印面
【図３】漢字、アルファベット印鑑  押印図
【符号の説明】
【００１１】０１    漢字表記スペース
０２    漢字表記
０３    アルファベット文字表記スペース
０４    アルファベット文字表記
０５    リング状仕切り枠
【図１】
0003224004.tif 000003
【図２】
0003224004.tif 000004
【図３】
0003224004.tif 000005
【手続補正書】
【提出日】平成24年12月13日(2012.12.13)
【手続補正１】
【補正対象書類名】特許請求の範囲
【補正対象項目名】請求項６
【補正方法】変更
【補正の内容】
【請求項６】
前記突起及び前記スライド用突起は円筒形状であることを特徴とする請求項２に記載の半導体装置の製造方法。
【手続補正２】
【補正対象書類名】特許請求の範囲
【補正対象項目名】請求項７
【補正方法】変更
【補正の内容】
【請求項７】
前記突起及び前記スライドさせる手段は、前記上金型に前記ゲート側に向くように形成された傾斜面であることを特徴とする請求項１に記載の半導体装置の製造方法。
【手続補正書】
【提出日】平成25年3月6日(2013.3.6)
【手続補正１】
【補正対象書類名】特許請求の範囲
【補正対象項目名】全文
【補正方法】変更
【補正の内容】
【特許請求の範囲】
【請求項１】
充電電池の電圧を検出する電圧検出部と、
前記充電電池の温度を検出する温度検出部と、
前記充電池への充電の完了を表示する表示部と、
前記充電池への充電制御を行い、充電末期において前記電圧検出部により検出した前記充電電池の充電電圧と前記温度検出部により検出した前記充電電池の温度とにより充電完了を判定し、前記充電池への充電制御を完了させ、前記表示部の充電完了の表示を制御する制御部を備え、
前記制御部は、前記電圧検出部が充電末期に前記充電電池の電圧の電圧降下を検出したとき、前記充電池への充電を完了させ、前記充電池の温度が下がるまで前記表示部の充電完了の表示を遅延させることを特徴とする充電器。
【手続補正２】
【補正対象書類名】明細書
【補正対象項目名】０００８
【補正方法】変更
【補正の内容】
【０００８】
前記目的を達成するために本発明は、充電電池の電圧を検出する電圧検出部と、前記充電電池の温度を検出する温度検出部と、前記充電池への充電の完了を表示する表示部と、前記充電池への充電制御を行い、充電末期において前記電圧検出部により検出した前記充電電池の充電電圧と前記温度検出部により検出した前記充電電池の温度とにより充電完了を判定し、前記充電池への充電制御を完了させ、前記表示部の充電完了の表示を制御する制御部を備え、前記制御部は、前記電圧検出部が充電末期に前記充電電池の電圧の電圧降下を検出したとき、前記充電池への充電を完了させ、前記充電池の温度が下がるまで前記表示部の充電完了の表示を遅延させることを特徴とする充電器である。